(57)【要約】      （修正有）【課題】収納時には丸く巻いて筒状に保管することができ、避難時の配布には持ち運びが容易にできる避難用布地縫合寝袋を提供する。【解決手段】敷きマット１と枕包２と足包３と右側かけ布地４と左側かけ布地５と手持ちベルト６とからなる６種類の部品で構成される。まず、敷きマット１の頭部にあたる部分に枕包２を、足部に足包３をそれぞれ三辺の端部を袋状に取り付ける。上辺に当たる部分に右側かけ布地４、下辺に当たる部分に左側かけ布地５を取り付け、手持ちベルト６を敷マット１の上辺の右側掛け布地４の縫合部と敷マット１の下辺の左側掛け布地５の縫合部各４か所に取り付ける。これにより、敷きマット部分と左右２枚の布地をかける避難時の寝袋となる。敷きマットの上の頭部が袋状になっている為、衣類等を巻いて枕代わりになり、頭部や足入れ部分が袋状になっているので、所持品や貴重品を収納することができる。【選択図】図２
0003212069.tif 000002
【実用新案登録請求の範囲】
【請求項１】
使用者の背中に位置する背面部と、背面部から左右に矩形に広がって使用者の身体の前面部まで重ねて覆うための左側布地部と右側布地部を備え、背面部と左側布地部の接合部及び背面部と右側布地部の接合部のそれぞれに使用者の両肩の位置に腕を通すための手出し穴を備えたことを特徴とする避難用布地縫合寝袋
【請求項２】
前記背面部は、使用者の頭部の位置にタオル等の布地を入れることで枕となりえるフード形状の布地を備え、更に使用者の足の位置に足を入れるための袋状の布地を備えることを特徴とする請求項1に記載の避難用布地縫合寝袋
【請求項３】
前記背面部と左側布地部の接合部及び背面部と右側布地部の接合部の外側には、それぞれに少なくとも1か所以上に、使用者が当該寝袋に入った状態で持ち上げるための把持部を備える事を特徴とする請求項１乃至請求項２のいずれかの避難用布地縫合寝袋
【考案の詳細な説明】
【技術分野】
【０００１】
本考案は、布地を縫合して避難用に配布する寝袋に関するものである。
【背景技術】
【０００２】
避難所に置いて、一般に毛布が支給され、毛布にくるまって暖をとっている。中には、持参した屋外用の寝袋を使用している。
【先行技術文献】
【特許文献】
【０００３】
【特許文献１】不明
【非特許文献】
【０００４】
【非特許文献１】なし
【考案の概要】
【考案が解決しようとする課題】
【０００５】
現在、避難場所の寝具として毛布が用意され、一人当たり毛布が１〜２枚支給されている。１枚だと床と背中が接触する為、敷き毛布用と掛け毛布として２枚の毛布を使うか、２枚の毛布を重ねて暖をとる必要があった。体を毛布でくるんだ状態になると体が固定され、身体の血行が悪くなっていた。
【０００６】
座位で食事をとる時は、両手で毛布を捕まえておけない為、毛布がずれ落ちてしまって不便であった。一般の寝袋は、首から下を袋状に体を包み込むので、眠る時だけの使用はいいのだが、両手が寝袋の中に入っている為、座位で食事をしたりするには不便であった。
【０００７】
手荷物や貴重品がある場合は、身に着けるか手元に置いておくことになり、置き引きや紛失の危険性があった。
【課題を解決するための手段】
【０００８】
本考案は、左右の布地の端が固定している為、ずれることなく寒暖に応じて布地を利用することでき、寝返りしてもかけ布地部分がずれにくい。本案の頭部と足部が袋状になっている為、手荷物や貴重品等を収納し、左右の手出し穴からかけ布地を掛けたまま両手が自由に動かせる。また、敷き布地の左右各３か所に取っ手が付いているので、要介護者のタンカーとしても活用される。
【考案の効果】
【０００９】
本考案は、収納時には丸く巻いて筒状に保管することができ、避難時の配布には持ち運びが容易にできる。横になったとき、寒暖に応じて左右の布地を被せたり剥がしたりできて、両方の布地を被せないで敷マットだけの使用もできる。
【００１０】
左右の布地が固定されている為、分離紛失することがない。足部と頭部が袋状になっている為、足部は、寒暖に応じて袋の中に足を入れたり足袋から出したりして利用できる。頭部の袋部分は、持参した服等を丸めて枕代わりに使用して、ずれないように固定することができる。この頭部と足部の袋状にすることで、手荷物や貴重品を収納することができる。
【００１１】
頭部の枕包を頭巾のようにかぶり、座位で両辺の布地で体を包むようにしても活用できき、身体を本考案品にくるまって状態で、手足が自由となり食事や歩行も可能になる。
【００１２】
敷きマットと左右のかけ布地が縫合されている両辺に、手持ちベルトが各４か所付いているので、両脇からベルトを持ってタンカーとして使用ができる
【００１３】
避難場所に常時丸めてコンパクトに収納できて、避難時に毛布３枚分の効果と手荷物及び貴重品の収納、そして動けない避難者の移動をできるようにするものである。
【図面の簡単な説明】
【００１４】
【図１】本願考案の実施例に係る避難用布地縫合寝袋の分離図
【図２】避難用布地縫合寝袋の解放図
【図３】避難用布地縫合寝袋のセット図
【図４】避難用布地縫合寝袋の巻収納図
【考案を実施するための形態】
【００１５】
図１は（１）敷きマットと（２）枕包と（３）足包と（４）右側かけ布地と（５）左側かけ布地と（６）手持ちベルト１〜６からなる６種類の部品で構成された分離図である。
【００１６】
図1の（１）敷きマットの右辺に（２）枕包の右辺を縫合し、（２）枕包の上辺と下辺をそれぞれ（１）敷きマットの上辺と下辺を縫合して袋状にする。
【００１７】
図1の（１）敷きマットの左辺に（３）足包の左辺を縫合し、（３）足包の上辺と下辺をそれぞれ（１）敷きマットの上辺と下辺を縫合して袋状にする。
【００１８】
図1の（１）敷きマットの上辺に（４）右側かけ布地下辺のx部（手出し穴）を除いた場所を縫合する。
【００１９】
図1の（１）敷きマットの下辺に（５）左側かけ布地上辺のｙ部（手出し穴）を除いた場所を縫合する。
【００２０】
図１の（６）手持ちベルト１〜８は、裁断した布地を重ね合わせて頑丈な帯状に作ることもできるが、破棄される廃車車両のシートベルトを適当な長さに裁断して、（６）手持ちベルトにすることもできる。
【００２１】
図1の（１）敷きマットの上辺と下辺をそれぞれ４等分した位置に、（６）〜（１３）手持ちベルトの両端を手が入る間隔をあけて上辺４か所と下辺４か所に縫合する。
【００２２】
図２は図１の分離図より各辺を縫合して、（５）左かけ布地および（４）右かけ布地を広げた開放図である。
【００２３】
図３は図２の開放図より（４）右かけ布地と（５）左かけ布地側をそれぞれ（１）敷きマットとの接続部分を（１）敷きマット側に折り曲げたセット図である。
【００２４】
図３の状態が避難時に２枚の布地を重ねることができ、（２）枕包が袋状になっているので、衣類等を丸めて枕代わりに収めることができる。（２）枕包および（３）足包に所持品や貴重品を収めることもできるようになる。（１）敷きマットと（２）左かけ布地および（３）右かけ布地との間に、縫合されなかったｘ部ｙ部の手出し穴より左右の手を出すことができる。
【００２５】
図３の状態から枕包を頭に掛けて座位の体制をとることができて、ｘ部ｙ部の手出し穴より両手を出して布地をまいた状態で食事をとることができる。
【００２６】
図４は本考案品を図３のセット状態から（２）枕包より（３）足包の方へ床側に丸めて、（３）足包のところまで丸めたら、袋状になっている（３）足袋を裏返しにして、布地の弾力を利用して包み込むように丸めて収納した巻収納図である。
【００２７】
丸く丸めて保管されている図４の巻収納図から、使用時には図２の開放図のように本考案を避難時の寝袋として使用する。
【実施例】
【００２８】
この実施形態によれば、現在備蓄されている緊急用の布地を、裁断・縫合することで随時作成し、避難時の寝袋として使用し、必要に応じて要介護者を運搬するタンカーとなる。
【符号の説明】
【００２９】
（１）    敷きマット  
（２）    枕包  
（３）    足包  
（４）    右側かけ布地  
（５）    左側かけ布地  
（６）手持ちベルト（８本）
【図１】
0003212069.tif 000003
【図２】
0003212069.tif 000004
【図３】
0003212069.tif 000005
【図４】
0003212069.tif 000006